(57)【特許請求の範囲】
【請求項１】
第１ドラムシェルと第２ドラムシェルとを備えるボンゴドラムアセンブリであって、
前記第１ドラムシェルは、該第１ドラムシェルの一側から外方に延在する非円形チューブを備える第１延長部材を有し、前記チューブが凹所を有し、
前記第２ドラムシェルは、該第２ドラムシェルの一側から外方に延在し、かつ前記チューブの前記凹所内に密着して受容される形状とされただぼを備える第２延長部材を有し、
前記第１延長部材と前記第２延長部材とは前記第１ドラムシェルと前記第２ドラムシェルとの間の相対位置を固定するように配置され、かつ前記第１延長部材と前記第２延長部材とは互いに接着により結合されることを特徴とするボンゴドラムアセンブリ。
【請求項２】
前記非円形チューブは台形断面を有することを特徴とする請求項１記載のドラムアセンブリ。
【請求項３】
前記第１ドラムシェルと前記第２ドラムシェルとは、セラミックにより成形されることを特徴とする請求項１記載のドラムアセンブリ。
【請求項４】
第１ドラムシェルと第２ドラムシェルとを備えるドラムアセンブリであって、
前記第１ドラムシェルは、蟻溝を備える凹所を備える第１延長部材を有し、かつ
前記第２ドラムシェルは、嵌合用蟻ほぞを備える第２延長部材を有し、
前記第１延長部材と前記第２延長部材とは、前記第１ドラムシェルと前記第２ドラムシェルとの間の相対位置を固定するように構成され、かつ前記第１延長部材と前記第２延長部材とは、互いに接着により結合されることを特徴とするドラムアセンブリ。
【請求項５】
前記第１ドラムシェルと前記第２ドラムシェルはプラスチック製であることを特徴とする請求項４記載のドラム。
【請求項６】
前記第１ドラムシェルと前記第２ドラムシェルは木製であり、前記各延長部材は前記各シェルに取り付けられることを特徴とする請求項４記載のドラム。
【請求項７】
第１セラミックドラムパーツと第２セラミックドラムパーツとを備えるボンゴドラムアセンブリであって、
前記第１セラミックドラムパーツは、第１ドラムシェルと該第１ドラムシェルの一側から外方に延在している第１延長部材とを備え、前記第１延長部材が非円形セラミックチューブを備え、
前記第２セラミックドラムパーツは、ドラムシェルと該第２ドラムシェルの一側から外方に延在している第２延長部材とを備え、前記第２延長部材が前記チューブ内に受容されるような形状とされただぼを備えることを特徴とするボンゴドラムアセンブリ。
【請求項８】
第１ドラムパーツと第２ドラムパーツとを備えるドラムアセンブリであって、
前記第１ドラムパーツは、第１ドラムシェルと該第１ドラムシェルの一側から延在しかつアンダーカットされた溝を有する第１延長部材とを備え、
前記第２ドラムパーツは、第２ドラムシェルと該第２ドラムシェルの一側から延在している第２延長部材とを備え、前記第２ドラムシェルはアンダーカットされた前記溝と嵌合するように構成された延在ほぞを有することを特徴とするドラムアセンブリ。
【請求項９】
前記第１ドラムパーツと前記第２ドラムパーツとはプラスチック製であることを特徴とする請求項８記載のドラムアセンブリ。
【請求項１０】
アンダーカットされた前記溝は蟻溝であることを特徴とする請求項８記載のドラム。
【請求項１１】
前記第１ドラムパーツと前記第２ドラムパーツとは、それぞれ木製ドラムシェルにより形成され、かつ木製延長部材が前記各第１及び第２ドラムパーツに取り付けられていることを特徴とする請求項８記載のドラムアセンブリ。
【請求項１２】
成形された第１ドラムシェルと第２ドラムシェルとを備えるドラムアセンブリであって、
前記第１ドラムシェルは一体成形された第１延長部材を有し、かつ該第１延長部材内に凹所を有し、
前記第２ドラムシェルは、前記凹所内に密着して受容されるように構成された一体成形された第２延長部材を有し、
前記第１延長部材と前記第２延長部材とは前記第１ドラムシェルと前記第２ドラムシェルとの間の相対位置を固定するように構成され、前記第１延長部材と前記第２延長部材とは互いに接着により結合されていることを特徴とするドラムアセンブリ。
【請求項１３】
前記各ドラムシェルはセラミック製であることを特徴とする請求項１２記載のドラムアセンブリ。
【請求項１４】
前記各ドラムシェルは概略筒状の側壁部を有し、かつ前記第１延長部材と前記第２延長部材とが前記各側壁部から延在していることを特徴とする請求項１２記載のドラムアセンブリ。
【発明の詳細な説明】
【０００１】
【発明の属する技術分野】
本発明は、おもちゃ製品に関し、より詳しくは、おもちゃのボンゴドラムに関するもので、ラテンアメリカのリゾートの土産品として使用可能なものである。このようなおもちゃのボンゴドラムは、通常のボンゴドラムよりも著しく小さく、約５０ｍｍから約２５０ｍｍの全長サイズを有している。このようなおもちゃのドラムのサイズ、及び製造コストを最小化しなければならないことのために、新規な低コスト組立装置が望ましい。本発明は、プロ用ボンゴドラムに対するより低コストの製造技術としても適用可能である。
【０００２】
【従来の技術】
通常のボンゴドラムは、木製又は繊維ガラス製のドラムシェルを有し、２００ｍｍの直径，４００ｍｍを越す全長サイズを有している。（通常、木製の）結合部材がドラムセットの２つのシェルを結合している。通常、各シェルは、結合部材を介して通る１つ又は２つ以上のボルトにより、互いに留められている。この構成技術は、低コストのおもちゃのボンゴに容易に適用することはできず、かつより小さなドラムセットに対する組立上の問題が生じる。
【０００３】
【発明が解決しようとする課題】
本発明の目的は、低コストで製造が容易であるドラムアセンブリを提供することにある。
【０００４】
【課題を解決するための手段】
本発明によれば、第１ドラムシェル及び第２ドラムシェルを有するドラムアセンブリが提供されている。第１ドラムシェルは、凹所を有する第１延長部材を有している。第２ドラムシェルは、前記凹所内に密着して受容されるように構成された第２延長部材を有している。第１延長部材と第２延長部材とは、第１ドラムシェルと第２ドラムシェルとの間の相対位置を固定するように構成されている。第１延長部材と第２延長部材とは、互いに接着結合される。
【０００５】
一態様において、第１延長部材は第１ドラムシェルの一側から外方に延在している非円形チューブであり、かつ第２延長部材は前記チューブ内に受容されるような形状とされた延在しているだぼである。一態様では、非円形チューブは台形断面を有し、かつ各ドラムシェルはセラミック製である。
【０００６】
他の態様において、凹所は、第１延長部材に蟻溝を備え、かつ第２延長部材に嵌合用蟻ほぞを備え、かつ各ドラムシェルはプラスチック製又は木製である。
【０００７】
【発明の実施の形態】
他の目的及び更なる目的とともに本発明をより良く理解するために、添付の図面と関連付けられた以下の記載を参照する。本発明の範囲は、特許請求の範囲に示している。
【０００８】
図１〜図８を参照すると、セラミックにより制作された本発明の第１実施形態が示されている。おもちゃのボンゴドラムセット１０は各ドラムシェル１２，１４を有し、それぞれ４０ｍｍの高さを有している。第１シェル１２は、５０ｍｍの最大直径を有し、４０ｍｍの直径へと先細りになっている。第２シェル１４は、４０ｍｍの最大直径を有し、かつ３０ｍｍの直径へと先細りになっている。各シェル１２，１４は、セット１０に組み立てられるように、スペーサ１６を使用して約１０ｍｍだけ離間されている。従って、アセンブリ１０の全長サイズは最大寸法で約１００ｍｍであり、これは土産品には都合のよいサイズである。ボンゴドラムアセンブリは、約５０ｍｍから２５０ｍｍの全長サイズを有するように組立可能であり、かつ（例えば、４００ｍｍサイズを越す）フルサイズで制作してもよく、依然として本発明の組立ての有利点を維持している。
【０００９】
各図を再び参照すると、第１ドラムシェル１８と第２ドラムシェル２０とが、図示する実施形態において約６ｍｍの厚さを有するセラミック材料により制作されていることが解る。特に、異なるサイズのドラムセットに対して、他の壁部厚さを使用してもよい。
【００１０】
各ドラムシェルは上方（概略円形）部と下方円錐部とを有している。ボンゴドラムの全体形状を示した図示実施形態において、任意の中間円錐部により上方パーツと下方パーツとが分離されている。上方開口部全域に（図示しない）膜を張り、かつ接着剤により開口部に付けても良い。指で軽くたたいた場合に、ボンゴドラムのような音をおもちゃアセンブリに与えるために、膜は、革，マイラー，ラテックス，又は他の可撓性かつ弾性シート材料であってもよい。外表面は、装飾を施し、又は明るくコーティングしても良く、セラミック製ドラムパーツを焼成することにより光沢を出しても良い。
【００１１】
図４〜図８に示した好適な態様では、第１ドラムシェル１８が、凹所を有する延長部を形成する非円形チューブ２４を有している（前記凹所はチューブ内部である）。延長部２４とドラムシェル２２は、セラミッククレイにより別個に組み立てられ、かつ延長部２４とシェル２２とが焼成プロセスで結合されるように、ドラムパーツ１８を焼成する前に互いに結合してもよい。あるいは、延長部２４は、シェル２２のパーツとして成形可能であり、組立方法は本発明とは密接な関係はないことが理解されよう。図４に示すように、延長部２４の端部２６は、第２シェル２８の表面に対してぴったりと取り付けられるように円錐形とされている。
【００１２】
図示した実施形態では、チューブ２４は、台形断面を有し、かつ第２シェルパーツ２０のだぼ延長部３０を受容するようなサイズとされている。このだぼ延長部もまた、図７に示すように、台形断面を有している。チューブ２４に関して記載した手法と同様の手法で、だぼ延長部３０をシェル２８に結合してもよい。チューブ延長部２４とだぼ延長部３０は、正方形、矩形、楕円形等を含む広範な種類の断面形状を想定してもよい。非円形は、各シェルの角度位置を固定するために好ましい。
【００１３】
第１シェル２２，第２シェル２８は、好適には成形され、かつ延長部材２４，３０に結合される。外部に装飾を施してもよく、かつ各パーツを焼成してグロス仕上げを施してもよい。あるいは、各パーツを塗装してもよく、又は焼成後にステッカーを付与してもよい。あるいは、各パーツを焼成することなく硬化してもよい。だぼ３０をチューブ２４の内部凹所内に挿入し、かつ各パーツを適切な接着剤により結合することにより、各パーツが互いに結合される。このように結合されるので、各延長部は、適切に離間された関係に各シェル２２，２８を確実に保持する。さらに、延長部２４内の凹所とだぼ延長部３０の非円形特性により、各パーツ１８，２０が互いに角度回転することが防止される。
【００１４】
当業者は、記載した各パーツが射出成形プラスチックといったプラスチックにより組み立てることも可能であることを理解するであろう。
【００１５】
（プラスチック又は木材による組立にも適している）選択実施形態が図９乃至図１１に示されている。ドラムアセンブリ４０は、延長部４４を有する第１シェル４２と、延長部４８を有する第２シェル４６とを有している。２つのパーツからなる金型内でのプラスチックによる容易な制作を提供するために、図示するように、各延長部材４４，４８を各シェル４２，４６のより高い位置に延在させてもよい。延長部材４４は、蟻溝として形成された凹所を有している。延長部４８は、各パーツを結合させるために蟻溝凹所４４内に受容される嵌合用蟻ほぞを有している。各パーツは適切な接着剤により固定される。溝及びほぞに対する他の形状、好適にはアンダーカット形状が可能であり、かつ溝とほぞを垂直に形成する代わりに水平に形成してもよい。
【００１６】
プラスチックの実施形態は、より小さな壁部厚さを有し、かつ適切なように、成形のためにさらなる凹所を有してもよいことを当業者は理解するであろう。
【００１７】
図１２は、ボンゴドラムシェル６０を有しかつ木材で制作されたパーツの拡大図である。パーツ６０はひっくり返すことが可能であり、かつボンゴシェルを形成するために穴を明けることが可能である。延長パーツ６２は、プラスチックで成形してもよく、あるいは木材であってもよく、シェル６０の外部と結合するように適切に回転され、かつ蟻溝を形成するために溝が付けられ又は道筋が形成される。延長パーツ６２は、接着剤を使用して、又は、図示するように平頭皿小ねじ（flat-head, countersunk machine screw）６４と（Timmerman ナットといった）ナット６６を使用して、シェル６０に固定される。嵌合するドラムは、嵌合用蟻ほぞを有する木製パーツ及び／又はプラスチック製パーツにより、同様に形成可能である。
【００１８】
本発明の好適な実施形態と考える実施形態を記載してきたが、本発明の精神から逸脱することなく、他の及び更なる変形を行ってもよいこと、及び本発明の範囲内に含まれるように、本発明がこのような全ての変更及び変形を請求していることは、当業者ならば理解されよう。
【図面の簡単な説明】
【図１】  本発明の第１実施形態の上面図である。
【図２】  図１の正立面図である。
【図３】  図１の底面図である。
【図４】  図１の断面図である。
【図５】  図１の第１パーツの側立面図である。
【図６】  図５のパーツの断面図である。
【図７】  図１の実施形態の第２パーツの側立面図である。
【図８】  図７のパーツの断面図である。
【図９】  本発明の第２実施形態の上面図である。
【図１０】  図９の実施形態の正立面図である。
【図１１】  図９の実施形態の底面図である。
【図１２】  本発明による木製パーツの拡大図である。
【符号の説明】
１０，４０  ボンゴドラムアセンブリ
１８，４２  第１ドラムシェル
２０，４６  第２ドラムシェル
２４，４４  延長部材
３０  だぼ延長部
【図１】
0003745274.tif 000002
【図２】
0003745274.tif 000003
【図３】
0003745274.tif 000004
【図４】
0003745274.tif 000005
【図５】
0003745274.tif 000006
【図６】
0003745274.tif 000007
【図７】
0003745274.tif 000008
【図８】
0003745274.tif 000009
【図９】
0003745274.tif 000010
【図１０】
0003745274.tif 000011
【図１１】
0003745274.tif 000012
【図１２】
0003745274.tif 000013